(57)【要約】  電子装置（１０）の記憶装置（２０）において保存されたビデオ・ファイルから単一のピクチャ画像を抽出し、抽出された単一のピクチャ画像を用いてスクリーン・セーバ機能を行う装置及び方法。スクリーン・セーバ機能は、電子装置の保存されたビデオ・ファイルから複数の単一のピクチャ画像を抽出することができる。複数の単一のピクチャ画像は。ビデオ・ファイル・データ（１０）のランダムな。かつ／又は連続した場所から供給することが可能である。
2008537440.tif 000002
【特許請求の範囲】
【請求項１】
電子装置のスクリーン・セービング方法であって、
スクリーン・セービング信号を受信する工程と、
記憶装置に保存されたビデオ・ファイルから単一のピクチャ画像を前記スクリーン・セービング信号に応じて抽出する工程と、
前記抽出された単一のピクチャ画像を用いてスクリーン・セービング機能を行う工程とを備える方法。
【請求項２】
請求項１記載のスクリーン・セービング方法であって、前記単一のピクチャ画像を用いてスクリーン・セービング機能を行う前に前記電子装置に関連したディスプレイのディスプレイ・ドライバのために前記抽出されたピクチャ画像をフォーマッティングする工程を更に備えるスクリーン・セービング方法。
【請求項３】
請求項１記載のスクリーン・セービング方法であって、前記記憶装置が前記電子装置と関連付けられるスクリ―ン・セービング方法。
【請求項４】
請求項３記載のスクリーン・セービング方法であって、前記記憶装置がＤＶＤを備えるスクリーン・セービング方法。
【請求項５】
請求項１記載のスクリーン・セービング方法であって、スクリーン・セービング終了信号が受信されるまで、抽出する工程及び行う工程を繰り返す工程を更に備えるスクリーン・セービング方法。
【請求項６】
請求項５記載のスクリーン・セービング方法であって、前記電子装置に関連したディスプレイへ提示するために、抽出されたファイルそれぞれにフェードイン／フェードアウトを施す工程を更に備えるスクリーン・セービング方法。
【請求項７】
電子装置のスクリーン・セービング方法であって、
スクリーン・セービング信号を受信する工程と、
前記スクリーン・セービング信号の受信に応じて、記録済メディアのコンテンツをビデオ・ファイルについてサーチする工程と、
見出されたビデオ・ファイルから単一のピクチャ画像を抽出する工程と、
前記抽出された単一のピクチャ画像を用いてスクリーン・セービング機能を行う工程とを備えるスクリーン・セービング方法。
【請求項８】
請求項７記載のスクリーン・セービング方法であって、前記電子装置に関連したディスプレイのディスプレイ・ドライバとの互換性を有する形式に前記単一のピクチャ画像を、抽出後に変換する工程を更に備えるスクリーン・セービング方法。
【請求項９】
請求項７記載のスクリーン・セービング方法であって、前記サーチする工程は、ユーザ選択された選好に基づいて、何れかの記録済メディア・タイプのサーチから除外する工程を含むスクリーン・セービング方法。
【請求項１０】
請求項７記載のスクリーン・セービング方法であって、スクリーン・セービング終了信号が受信されるまで、抽出する工程及び行う工程を繰り返す工程を更に備えるスクリーン・セービング方法。
【請求項１１】
請求項１０記載のスクリーン・セービング方法であって、前記ピクチャ画像は、前記ビデオ・ファイルのランダムな場所から抽出されるスクリーン・セービング方法。
【請求項１２】
請求項１０記載のスクリーン・セービング方法であって、前記ピクチャ画像は、前記ビデオ・ファイルの連続した場所から抽出されるスクリーン・セービング方法。
【請求項１３】
電子装置であって、
制御装置と、
記憶装置と、
スクリーン・セービング信号を前記制御装置から受信し、前記スクリーン・セービング信号の受信に応じて、前記記憶装置によってアクセス可能なビデオ・ファイルから単一のピクチャ画像を抽出し、前記単一のピクチャ画像を用いてスクリーン・セービング機能を行うよう動作可能なスクリーン・セーバ・アプリケーションとを備える電子装置。
【請求項１４】
請求項１３記載の電子装置であって、前記スクリーン・セーバ・アプリケーションは、前記単一のピクチャ画像を用いてスクリーン・セービング機能を行う前に前記電子装置に関連したディスプレイのディスプレイ・ドライバの前記抽出されたピクチャ画像をフォーマッティングするよう更に動作可能である電子装置。
【請求項１５】
請求項１３記載の電子装置であって、前記ビデオ・ソースから単一のピクチャ画像を抽出する工程、及び前記抽出された単一のピクチャ画像によってスクリーン・セーバ機能を行う工程を、スクリーン・セービング終了信号が前記制御装置から受信されるまで繰り返すよう更に動作可能な電子装置。
【請求項１６】
請求項１３記載の電子装置であって、前記スクリーン・セーバ・アプリケーションは、前記ビデオ・ファイルのランダムな場所、前記ビデオ・ファイルの連続した場所、又は前記ビデオ・ファイルのランダムな場所及び連続した場所のうちの１つから単一のピクチャ画像を繰り返し抽出するよう更に動作可能な電子装置。
【請求項１７】
請求項１３記載の電子装置であって、前記スクリーン・セーバ・アプリケーションは、前記スクリーン・セービング機能の実行中に、前記抽出された単一のピクチャ画像のフェードイン／フェードアウト機能を施すよう更に動作可能な電子装置。
【発明の詳細な説明】
【関連出願との相互参照】
【０００１】
本特許出願は、内容全体を本明細書及び特許請求の範囲に特に援用する、「Ｍｅｔｈｏｄ  ａｎｄ  Ａｐｐａｒａｔｕｓ  ｆｏｒ  Ｐｅｒｆｏｒｍｉｎｇ  ａ  Ｓｃｒｅｅｎ  Ｓａｖｅｒ  Ｆｕｎｃｔｉｏｎ  ｉｎ  ａｎ  Ｅｌｅｃｔｒｏｎｉｃ  Ｄｅｖｉｃｅ」と題する西暦２００５年４月２１日付け出願の米国特許仮出願第６０／６７３，４００号の利益及び／又は優先権を主張する。
【技術分野】
【０００２】
本発明は、電子装置におけるスクリーン・セービング機能に関し、特に、電子装置の記憶媒体上に保存されたビデオからの画像データを利用するスクリーン・セービング機能に関する。
【背景技術】
【０００３】
電子装置のスクリーン・セーバ・アプリケーションは周知である。スクリーン・セーバ・アプリケーションは、関連した電子装置が使用されていない際に、スクリーンを消去するか、又は動く画像又はパターンによって埋めることによって、画面の焼き付け（すなわち、ディスプレイへの固定パターンの焼き付け）などの損傷からディスプレイを保護し、ディスプレイの画像品質を保全することを企図したプログラム又はルーチンである。コンピュータには長い間、スクリーン・セーバ・アプリケーションを使用している。
【０００４】
テレビ受像機及びテレビ・システム構成部分を構成する電子装置に関しては、スクリーン・セーバ・アプリケーションがやはり用いられている。例えば、ＤＶＤプレイヤ／レコーダなどの特定の電子装置は、所定期間の間（例えば、５分間）、ユーザが入力又は動作を行わない場合に引き起こされるスクリーン・セービング機能を有する。スクリーン・セーバは、テレビ画面への出力を消去し、表示するための浮動画像（会社のロゴ等）を供給し始める。
【発明の開示】
【発明が解決しようとする課題】
【０００５】
スクリーン・セーバ画像は通常、電子装置のオペレーティング・システムの一部である不揮発性メモリに通常、直接記憶されたビットマップ画像である。そういうものとして、スクリーン・セーバ画像は固定しており、よって、変更することが可能でない。引き起こされると、スクリーン・セーバは、このビットマップ画像を抽出し、提示するために、電子装置におけるビデオ復号器に、又はオンスクリーン（ＯＳＤ）メモリ上に直接、この画像を供給する。よって、前述の電子装置におけるスクリーン・セーバ・アプリケーションは限定的である。
【課題を解決するための手段】
【０００６】
本発明の原理によれば、電子装置におけるスクリーン・セーバ・アプリケーションが引き起こされると、スクリーン・セーバは、記憶装置に保存されたビデオ・ファイルから画像を抽出し、抽出された画像を利用してスクリーン・セーバ機能を行う。
【０００７】
例えば、ＤＶＤプレイヤ／レコーダのスクリーン・セーバは、スクリーン・セーバ機能中にＤＶＤプレイヤ／レコーダに関連したＤＶＤ上で記録されたビデオからのピクチャを抽出するよう動作可能である。次いで、抽出されたピクチャをスクリーン・セーバ機能中に用いる。
【０００８】
スクリーン・セーバは、スクリーン・セーバ機能を行うために、いくつかの別々の画像をビデオ・ファイルから抽出することができる。いくつかの別々の画像を、ビデオ・ファイルの連続した画像から抽出することが可能である（すなわち、連続的に抽出される、又は連続抽出）。あるいは、いくつかの別々の画像を、ビデオ・ファイルのランダムな位置から抽出することが可能である（すなわち、ランダムに抽出される、又はランダム抽出）。その代わりに、別々の画像の一部を連続して抽出することができる一方、別々の画像の一部はランダムに抽出することができる。
【０００９】
本発明の局面によれば、スクリーン・セーバ・アプリケーションは、スクリーン・セーバ機能中に一抽出ピクチャから別の抽出ピクチャに切り換える際にフェードイン／フェードアウト機能を備え得る。
【００１０】
一形態では、本願のスクリーン・セーバ・アプリケーションは、ビデオ又はピクチャのデータについてＤＶＤをサーチすることによって、ビデオ・ファイル（ＤＶＤにおける映画など）からピクチャ画像を作成する。ピクチャ・データは、特定の形式のもの（ＪＰＥＧピクチャ・データ又はその他のもの）であり得る。位置特定されたピクチャ画像／データは、抽出され、適切にスケールダウンされ、ビデオ提示にふさわしい適切な形式（ビットマップなど）に変換される。処理済ピクチャは次いで、ディスプレイへの提示のために、電子装置のＯＳＤメモリ、回路／ロジック又はビデオ復号器部に供給される。
【発明を実施するための最良の形態】
【００１１】
本発明の実施例の以下の説明を添付図面とともに参照することによって、本発明の前述並びに他の特徴及び目的と、それらを達成するやり方がより明らかになり、本発明自体が、より深く理解されるであろう。
【００１２】
対応する参照符号は、いくつかの図を通して、対応する部分を示す。
【実施例】
【００１３】
図１は、本明細書記載の原理による、スクリーン・セーバ・アプリケーションを実現する、全体を１０で表す電子装置を表す。電子装置１０は通常、電子装置１０と一体的であり得るか、又は電子装置の外部にあり、電子装置と通信し得るディスプレイ又はスクリーン１２とともに用いる。電子装置１０は、各種電子装置を表し、特に、テレビ受像機又はテレビ・システムに関連した電子装置（テレビ受像機、ＤＶＤプレイヤ／レコーダ、ＶＣＲ、ＰＶＲ等など）を表す。電子装置１０は、限定するものでないが、特に、記憶媒体又は装置（例えば、ＤＶＤレコーダ／レコーダやＰＶＲ）を有しているか、又は受け入れるテレビ受像機又はテレビ・システム構成部分を表す。しかし、本願のスクリーン・セーバ・アプリケーションはコンピュータ・システムにおいて実現することができる。
【００１４】
電子装置のタイプに合った他の既知の構成部分に加えて、電子装置１０は制御装置１４を有する。制御装置１４は、本願のスクリーン・セーバのアプリケーション、特徴及び／又は機能の実現を含む、電子装置１０の適切な機能に必要であり、適切な、電子装置及びその構成部分の制御を提供する。
【００１５】
電子装置１０は、記憶媒体又は装置２０も有する。記憶媒体２０は、ピクチャ画像ファイル又はデータを有するか、含むか、若しくは組み入れたビデオ・ファイルを記憶／記録している。記憶装置の語は、着脱可能であるタイプ及び着脱可能でないタイプの、光媒体又は装置（例えば、ＤＶＤ、ＣＤ）、ハード・ドライブ装置（例えば、ＰＶＲ）、ソリッド・ステート・メモリ装置を含み得る記憶媒体を含んでいる。記憶装置は、電子装置に関連した唯一のものであり得るか、又は、いくつかの記憶装置（例えば、いくつかのＤＶＤを収容するルーレット式のＤＶＤプレイヤ／レコーダ、電子装置の外部にあるが電子装置と通信する記憶装置、又はネットワーク化された装置）のうちの１つであり得る。記憶装置は、ユーザ選好に基づいて選択することができる。ＤＶＤプレイヤ／レコーダの場合、記憶媒体２０はＤＶＤである。ＤＶＤは、ピクチャ画像ファイルを含むビデオ・ファイルを記憶する。電子装置１０は、いくつかの記憶装置を含み得るものであり、いくつかの記憶装置を受容し、いくつかの記憶装置にアクセスすることができ、かつ／又は、別の電子装置に関連した１つ又は複数の記憶装置と通信することができる。
【００１６】
記憶媒体上に／記憶媒体によって、記憶されるビデオ・ファイルは、．ｍｏｖ、．ａｖｉ、．ａｓｐ、．ｍｐｅｇ、及び／又は電子装置のタイプに通常適切なその他のファイル・タイプを含み得る。通常、１つのタイプのビデオ・ファイルのみが、電子装置１０による使用のために、記憶媒体上に／記憶媒体によって記憶される。ビデオ・ファイルは、１つ又は複数のピクチャ画像ファイルを含み得る。ピクチャ画像ファイル又はメディア・タイプは、ＪＰＥＧ、ＴＩＦＦ、ＧＩＦ及び／又は同様なものを含み得る。各メディア・タイプは、オンスクリーン・ユーザ選好メニューを介したユーザ選好に基づいて、スクリーン・セーバ・アプリケーションによって用いるために選択又は選択解除することが可能である。
【００１７】
ユーザ・インタフェース３０は、ユーザがデータを電子装置１０に入力することを可能にするために備えられる。ユーザは、データ（チャネル切り換え、音量、オンスクリーン・メニューへの入力、本願のスクリーン・セーバ・アプリケーション１８に関するユーザ選好に関する入力等など）を入力することができる。ユーザ選好は、制御装置１４の制御下で、ビデオ・ドライバ１６によって、かつ／又はビデオ・ドライバ１６に関して備えられるオンスクリーン・メニューを介して選択することができる。ユーザ・インタフェースは、赤外線リモコン送信器及び受信器（当該技術分野において知られているものなど）の形態をとり得る。
【００１８】
ビデオ・ドライバ１６は、ビデオ処理、復号化や、メニュー、テキスト、及び当該技術分野において知られているものなどの同様なもののオンスクリーン表示（ＯＳＤ）を提供するよう構成され、動作可能であり、かつ／又は適合させている。ビデオ・ドライバ１６は通常、制御装置１４の制御下にある。
【００１９】
電子装置１０の種々の構成部分（例えば、制御装置１４、スクリーン・セーバ・アプリケーション１８や、ビデオ・ドライバ１６）の種々の特徴及び／又は機能は、回路、ロジック及び／又はプログラミング若しくはプログラム命令（例えば、ファームウェア）で実現される。電子装置１０は、当該技術分野において知られているものなどのメモリ２２も含む。メモリ２２は、電子装置１０の種々の構成部分それぞれのメモリを、必要に応じて、かつ／又は適宜、表す。
【００２０】
本発明の原理によれば、電子装置１０は、スクリーン・セーバ・アプリケーション１８も含む。スクリーン・セーバ・アプリケーション１８は、電子装置が所定期間の間（例えば、５分間）アイドル状態にあった場合に引き起こされる。通常は、かつ、例証的には、電子装置のオペレーティング・システム・プログラミングは、スクリーン・セーバ・アプリケーションの開始、又はイベント通知を供給して、スクリーン・セーバ・アプリケーション又はプログラミングを引き起こす。
【００２１】
スクリーン・セーバ・アプリケーション１８は次いで、ピクチャ画像ファイルを抽出するビデオ・ファイルについて、利用可能な記憶媒体をサーチする。サーチする（又はサーチしない）対象のビデオ・ファイルのタイプは、オンスクリーン選好メニューを介してユーザによって設定されたユーザ選好によって決定され得る。ビデオ・ファイルが見出されると、スクリーン・セーバ・アプリケーション１８は、ピクチャ画像ファイル（ピクチャ画像、ピクチャ又は画像）をビデオ・ファイルから抽出する。抽出されたピクチャを次いで、スクリーン・セーバ・アプリケーションのスクリーン・セーバ機能中に用いる。
【００２２】
ピクチャ画像の抽出は、ビデオ・ファイルからのフレームを選択する工程、及びフレームを復号化してピクチャ画像を形成する工程を含む。例えば、ＭＰＥＧファイルにおける何れのＩフレームもピクチャ画像として選択することが可能である。実際に、他のタイプのＭＰＥＧフレームも選択することが可能であるが、非Ｉフレームが選択された場合、近傍Ｉフレームの何れか又は両方が、ピクチャ画像を生成するために、復号化処理中に係わり得る。
【００２３】
スクリーン・セーバは、スクリーン・セーバ機能を行うために、いくつかの別々の画像を１つ又は複数のビデオ・ファイルから抽出することができる。更に、いくつかの別々の画像を、ビデオ・ファイルの、又はビデオ・ファイルにおける、連続した画像から抽出することが可能である（すなわち、連続抽出、又は連続的に抽出される）。あるいは、いくつかの別々の画像を、ビデオ・ファイルの、又はビデオ・ファイルにおける、ランダムな場所から抽出することが可能である（すなわち、ランダム抽出、又はランダムに抽出される）。その代わりに、別々の画像の一部を連続して抽出することができる一方、別々の画像の一部はランダムに、かつ、１つ又は複数のビデオ・ファイルから抽出することができる。抽出されたピクチャ画像ファイルそれぞれは、ディスプレイ１２に適切であり、スクリーン・セーバ・アプリケーション１８によって利用される形式に変換される。
【００２４】
本願のスクリーン・セーバ・アプリケーション１８は、ビデオ又はピクチャのデータについてＤＶＤをサーチすることによって、ビデオ・ファイル（ＤＶＤにおける映画など）からピクチャ画像を作成する。ピクチャ・データは、特定の形式のもの（ＪＰＥＧピクチャ・データ又はその他のもの）であり得る。見出されたピクチャ画像／データは抽出され、適切にスケールダウンされ、ビデオ提示にふさわしい適切な形式（ビットマップなど）に変換される。処理済ピクチャは次いで、ディスプレイ１２への提示のためにビデオ・ドライバ１６（例えば、ＯＳＤ／ＯＳＤメモリ）に供給される。
【００２５】
本発明の局面によれば、スクリーン・セーバ・アプリケーション１８は、スクリーン・セーバ機能中に一抽出ピクチャから別の抽出ピクチャに切り換える際にフェードイン／フェードアウト機能を提供することができる。
【００２６】
図２は、本発明の原理によるスクリーン・セーバ／セービング方法の処理の流れの、全体を１００で表すフロー図を示す。フロー図１００のブロック又はボックスそれぞれは、スクリーン・セーバ方法／アプリケーションによって実現される機能工程を表す。
【００２７】
ボックス１０２では、スクリーン・セーバはまず、スクリーン・セービング処理を開始させるためのスクリーン・セービング信号（例証的には、関連した電子装置が、所定の期間の間（例えば、５分間）、アイドル状態にあった場合に、電子装置のオペレーティング・システム、スクリーン・セーバ・アプリケーション、又は他のシステム・ソフトウェアによって生成される）を受信する。ボックス１０４では、スクリーン・セーバは、ビデオ・ファイルについて、電子装置の記憶装置のコンテンツをサーチする。前述の通り、記憶装置の語は、着脱可能なタイプの、光媒体又は装置（例えば、ＤＶＤ、ＣＤ）、ハード・ドライブ装置（例えば、ＤＶＲ）、ソリッド・ステート・メモリ装置を含み得る記憶媒体を含んでいる。記憶媒体は、電子装置に関連した唯一のものであり得るか、又は、いくつかの記憶装置（例えば、いくつかのＤＶＤを収容するルーレット式のＤＶＤプレイヤ／レコーダや、電子装置の外部にあるが電子装置と通信する記憶装置）のうちの１つであり得る。記憶装置は、ユーザ選好に基づいて選択することができる。スクリーン・セーバは、ビデオ・ファイル又はメディアのタイプ（やはり、ユーザ選好に基づいて選択することが可能なタイプである）のうちの１つ又は複数のタイプをサーチする。このようにして、スクリーン・セーバは、特定のビデオ・メディア・タイプを除外することが可能である。
【００２８】
ボックス１０６では、見出されたビデオ・ファイルからのピクチャ画像は、スクリーン・セーバによる提示又は使用のために抽出される。スクリーン・セーバは、ピクチャ画像あるいは画像ファイルあるいはメディアのタイプ（例えば、ＪＰＥＧ、ＴＩＦＦ、ＧＩＦ）（やはり、ユーザ選好に基づいて選択することが可能なタイプである）のうちの１つ又は複数のタイプを抽出することができる。このようにして、スクリーン・セーバは、特定のビデオ・メディア・タイプを除外することが可能である。
【００２９】
ボックス１０８では、抽出された画像／画像ファイルは、ディスプレイ上の提示のためにフォーマッティングされる（すなわち、スクリーン・セーバによって用いられる）。例えば、抽出された画像ファイルは、ディスプレイ・ドライバ（ディスプレイ）との互換性を有する形式（ビットマップなど）に変換される。ボックス１１０では、フォーマッティングされたピクチャ画像が、ディスプレイ・ドライバ又はディスプレイに（ＯＳＤ、ビデオ復号器等を介して）提示される。最後に、ボックス１１２では、スクリーン・セーバは、スクリーン・セーバ終了信号が受信されるまで、又はスクリーン・セーバ信号が受信されない限り、抽出以降を繰り返す。ピクチャ画像ファイルの抽出は、ランダムに達成することができ、連続して達成することができ、ランダム及び連続の組み合わせで達成することができ、そのユーザ選好に従って達成することができる。
【００３０】
図３は、例としてＤＶＤプレイヤ／レコーダを用いる、本発明の原理によるスクリーン・セーバ／セービング方法の処理の流れの、全体を２００で表すフロー図を示す。フロー図２００のブロック又はボックスそれぞれは、スクリーン・セーバ方法／アプリケーションによって実現される工程又は機能を表す。
【００３１】
ボックス２０２では、スクリーン・セーバはまず、スクリーン・セービング信号又はイベント通知（例証的には、関連した電子装置が、所定の期間の間（例えば、５分間）、アイドル状態にあった場合に、電子装置のオペレーティング・システム、スクリーン・セーバ・アプリケーション、又は他のシステム・ソフトウェアによって生成される）を受信する。ボックス２０４では、スクリーン・セーバは、記憶装置全てにおける記録済メディアのコンテンツを調べるか、又はサーチする。ボックス２０６では、しかし、ユーザは、スクリーン・セーバが使用及び／又は除外するメディア・タイプを規定することが可能である。前述のものは、ユーザ選好に基づき得る。
【００３２】
この図では、ボックス２０８において、スクリーン・セーバは、好ましいメディア・タイプのビデオ・コンテンツから画像をランダムに抽出する。前述した通り、２つ以上の画像を、スクリーン・セービング機能において用いるために選択する、又は選ぶことが可能であり、前述の画像は、ランダムに抽出すること、連続して抽出すること、又は両方が可能である。
【００３３】
ボックス２１０では、この例における抽出された画像ファイルは、ディスプレイ・ドライバ（ディスプレイ）との互換性を有する形式（ビットマップなど）に変換される。ボックス２１２では、スクリーン・セーバは、ディスプレイ上のランダムな場所において、ディスプレイ・ドライバを介して画像を短い間、表示する。前述の通り、２つ以上の画像を用いる場合、ピクチャ間の切り換えの際にフェードイン／フェードアウト機能を実現すべきである。
【００３４】
ボックス２１４では、別のランダムな場所に画像を表示する前に、スクリーン・セーバは、スクリーン・セービング機能を終結させるべきか否かを検査すべきである。例えば、スクリーン・セーバが、スクリーン・セービング機能を終結させる旨の信号をオペレーティング・システムから受信すると、スクリーン・セーバは、スクリーン・セービング機能を終結させ（すなわち、「はい」）、よって、ボックス２１６において、終了すべきである。さもなければ（すなわち、「いいえ」の場合）、終結信号が受信されていない場合、スクリーン・セーバは、別のランダムな場所におけるピクチャを表示すべきであるか、さもなければ、ボックス２０８からの処理（ピクチャの抽出から、次の表示のために別のピクチャをランダムに又は連続して抽出する処理）を繰り返すべきである。
【００３５】
図のアーキテクチャ／電子装置は、排他的でない。他のアーキテクチャ及び／又は電子装置を、本発明の原理によって導き出して同じ目的を達成することができる。更に、本明細書に示し、記載した種々のエレメントの機能は、マイクロプロセッサ、ディジタル信号プロセッサ等のプログラムされた命令内で全体として、又は部分的に実現することができる。
【００３６】
本発明は、好ましい設計を有するものとして説明したが、本開示の趣旨及び範囲内で更に修正することが可能である。本願はよって、本発明のその一般的な原理を用いた変形、使用又は適合を包含することを意図している。更に、本願は、本発明が関係し、特許請求の範囲の限度内に収まる、当該技術分野において公知又は慣用の実施形態内に収まるような、本願の開示からの逸脱を包含することを意図している。
【図面の簡単な説明】
【００３７】
【図１】本発明を実現／実施する例示的な電子装置のブロック図である。
【図２】本発明の原理による、電子装置におけるスクリーン・セーバ機能を実現する図１の電子装置のやり方のフロー図である。
【図３】本発明の原理による、電子装置におけるスクリーン・セーバ機能を実現する図１の電子装置の別のやり方のフロー図である。
【図１】
2008537440.tif 000003
【図２】
2008537440.tif 000004
【図３】
2008537440.tif 000005
【国際調査報告】
2008537440.tif 000006